(57)【要約】【課題】  フランジ部に複数の補強リブを形成したのでは、カッタハウジングの長手方向の曲げ剛性には大きく寄与することはできない点を解決することで、カッタハウジングの長手方向の剛性の向上を図ることことを可能にする。【解決手段】  カッタハウジング１２が、樹脂材にて成形した部材であるとともにカッタハウジング１２に、スクロール部３３の左右外方に側部ガード部１４５，１４６（１４６は図１０参照）を備え、側部ガード部１４５に、スクロール部３３の側壁１９３下端近傍から外方に且つ前後に延ばした略水平ガード壁１９４と、この略水平ガード壁１９４から下方に且つ前後に延ばした垂直ガード壁１９５と、側壁１９３及び略水平ガード壁１９４を繋ぐ前後に延ばした接続リブ１９６と、を備え、側壁１９３、略水平ガード壁１９４及び接続リブ１９６で、側壁１９３下端近傍に中空パイプ状の補強部１９１を構成した。【選択図】      図１０
2006067919.tif 000002
【特許請求の範囲】
【請求項１】
カッタハウジングの上部に動力源を取付け、カッタハウジング内に動力源の出力軸を略鉛直に突出させ、この出力軸の先端にカッタブレードを取付けることで、このカッタブレードをカッタハウジングのスクロール部で略水平に回転させる形式の芝刈機において、
前記カッタハウジングは、樹脂材にて成形した部材であるととも前記スクロール部の左右外方に側部ガード部を備え、
前記側部ガード部は、前記スクロール部の側壁下端近傍から外方に且つ前後に延ばした略水平ガード壁と、この略水平ガード壁から下方に且つ前後に延ばした垂直ガード壁と、前記側壁及び前記略水平ガード壁を繋ぐ前後に延ばした接続リブと、からなり、
前記側壁、略水平ガード壁及び接続リブで、前記側壁下端近傍に中空パイプ状の補強部を構成したことを特徴とする芝刈機。
【発明の詳細な説明】
【技術分野】
【０００１】
本発明は、樹脂製のカッタハウジングを採用し、このカッタハウジング内でカッタブレードを回転させ、このカッタブレードで芝草面を刈ることができる芝刈機に関するものである。
【背景技術】
【０００２】
芝刈機として、樹脂製のカッタハウジングにカッタブレードを回転自在に取付け、このカッタブレードで芝草面を刈るものが実用に供されている。
実用の芝刈機は、樹脂製のカッタハウジングに補強リブを形成し、カッタハウジングに必要な剛性を確保すれば実用上十分であった。
【０００３】
このような芝刈機として、樹脂製のカッタハウジングの左右の外周面に補強リブを形成し、カッタハウジングの剛性を向上させるものが知られている（例えば、特許文献１参照。）。
【特許文献１】実公平４−４０４３３号公報（第３頁、第３図）
【０００４】
図１４は従来の芝刈機の基本構成を説明する図であり、図１５は従来のカッタハウジングの基本構成を説明する図である。
芝刈機２５０は、カッタハウジング２５１の上部にエンジン２５２を取付け、このエンジン２５２の出力軸２５３（図１５参照）にカッタブレード２５４を取付け、カッタハウジング２５１から後方にハンドル２５５を延出し、カッタハウジング２５５に前輪２５６，２５６（図１５参照）及び後輪２５７，２５７を取付け、これらの前輪２５６，２５６及び後輪２５７，２５７で走行させつつ、カッタブレード２５４で芝草面で刈るようにしたものであり、カッタハウジング２５１の側方にそれぞれフランジ部２５８，２５８を形成し、これらのフランジ部２５８，２５８に複数の補強リブ２５９・・・（・・・は複数個を示す）を形成し、カッタハウジング２５１の左右側面の耐衝撃性の向上を図ったものである。
【０００５】
しかし、芝刈機２５０では、フランジ部２５８，２５８に複数の補強リブ２５９・・・を形成したものなので、カッタハウジング２５１の側方からの耐衝撃性の向上を図ることができるものの、カッタハウジング２５１の長手方向の曲げ剛性には大きく寄与することはできないという欠点があった。
また、芝刈機２５０では、フランジ部２５８，２５８に複数の補強リブ２５９・・・を形成したものなので、これらの補強リブ２５９・・・の間に泥や刈草が侵入し、芝刈作業のたびに泥や刈草を削除しなければならず、芝刈機２５０のメンテナンス性の悪化を招くということもあった。
【０００６】
すなわち、カッタハウジングの長手方向の曲げ剛性を向上することができるとともに、カッタハウジングの側方からの耐衝撃性の向上を図ることができる芝刈機が望まれる。
【発明の開示】
【発明が解決しようとする課題】
【０００７】
本発明は、フランジ部に複数の補強リブを形成したのでは、カッタハウジングの長手方向の曲げ剛性には大きく寄与することはできない点を解決し、カッタハウジングの長手方向の剛性の向上を図ることができる芝刈機を提供することを課題とする。
【課題を解決するための手段】
【０００８】
請求項１に係る発明は、カッタハウジングの上部に動力源を取付け、カッタハウジング内に動力源の出力軸を略鉛直に突出させ、この出力軸の先端にカッタブレードを取付けることで、このカッタブレードをカッタハウジングのスクロール部で略水平に回転させる形式の芝刈機において、カッタハウジングが、樹脂材にて成形した部材であるとともにカッタハウジングに、スクロール部の左右外方に側部ガード部を備え、側部ガード部に、スクロール部の側壁下端近傍から外方に且つ前後に延ばした略水平ガード壁と、この略水平ガード壁から下方に且つ前後に延ばした垂直ガード壁と、側壁及び略水平ガード壁を繋ぐ前後に延ばした接続リブと、を備え、側壁、略水平ガード壁及び接続リブで、側壁下端近傍に中空パイプ状の補強部を構成したことを特徴とする。
【０００９】
例えば、カッタハウジングの側方からの耐衝撃性の向上を図るときに、カッタハウジングの長手方向の曲げ剛性にも寄与させることができるとすれば、芝刈機の全体的な剛性の向上を図ることができるので好ましいことである。
【００１０】
そこで、側壁、略水平ガード壁及び接続リブで、側壁下端近傍に前後方向に延ばした中空パイプ状の補強部を形成した。
【００１１】
すなわち、カッタハウジングが、樹脂材にて成形した部材であるとともにカッタハウジングに、スクロール部の左右外方に側部ガード部を備え、側部ガード部に、スクロール部の側壁下端近傍から外方に且つ前後に延ばした略水平ガード壁と、この略水平ガード壁から下方に且つ前後に延ばした垂直ガード壁と、側壁及び略水平ガード壁を繋ぐ前後に延ばした接続リブと、を備え、側壁、略水平ガード壁及び接続リブで、側壁下端近傍に中空パイプ状の補強部を構成した。これにより、カッタハウジングの側方からの耐衝撃性の向上を図るとともに、カッタハウジングの長手方向の曲げ剛性も向上させる。
【発明の効果】
【００１２】
請求項１に係る発明では、カッタハウジングが、樹脂材にて成形した部材であるとともにカッタハウジングに、スクロール部の左右外方にそれぞれ側部ガード部を備え、この側部ガード部に、スクロール部の側壁下端近傍から外方に且つ前後に延ばした略水平ガード壁と、この略水平ガード壁から下方に且つ前後に延ばした垂直ガード壁と、側壁及び略水平ガード壁を繋ぐ前後に延ばした接続リブと、を備えたので、側壁、略水平ガード壁及び接続リブで、側壁下端近傍に中空パイプ状の補強部を構成することができる。
すなわち、カッタハウジングの側方からの耐衝撃性の向上を図ることができるとともに、カッタハウジングの長手方向の曲げ剛性も向上させることがきる。この結果、芝刈機の全体的な剛性の向上を図ることができるという利点がある。
【発明を実施するための最良の形態】
【００１３】
本発明を実施するための最良の形態を添付図に基づいて以下に説明する。なお、図面は符号の向きに見るものとする。
図１は本発明に係る芝刈機の斜視図であり、芝刈機１０は、動力源としてのエンジン１３でカッタブレード１４を回転させ、このカッタブレード１４で芝草面を刈り、刈った刈草をカッタハウジング（カッタデッキ）１２から搬送風とともに刈草収集装置（グラスバッグ）２４に搬送し、この刈草収集装置２４に刈草を収集する芝刈機であるとともに、エンジン１３の回転を後輪１７に伝達し、エンジン１３で後輪１７を駆動するようにした自走式の芝刈機でもある。以下、その詳細を説明する。
【００１４】
図中、１１は機体、１６は前輪、１８はハンドルステー、１９はハンドル、２１はハンドル１９の横方向に渡したハンドルカバー、２２は後輪１７，１７にエンジン１３の動力を伝達する若しくは非伝達にする走行用クラッチレバー、２３はディスチャージガード（グラスカバー）、２５はカッタブレード１４を回転させる若しくは停止させるクラッチレバー（第１の操作レバー若しくは主操作部）、２６はロックレバー（第２の操作レバー若しくは副操作部）、２７はヘッドカバー、６０はロック機構を示す。
【００１５】
なお、クラッチレバー２５は、カッタブレード１４を停止させるときにカッタブレード１４にブレーキを掛ける操作を同時に行うレバーであり、ブレード・ブレーキ・クラッチ（ＢＢＣ）を操作するＢＢＣ用操作レバーと呼ぶこともある。
【００１６】
図２は本発明に係る芝刈機の側面図であり、芝刈機１０は、カッタハウジング１２の上部にエンジン１３を搭載し、このエンジン１３の出力軸（駆動軸）２８にクラッチ機構４０を介してカッタブレード１４を取付け、カッタハウジング１２の前部側面に前輪１６，１６（一方の１６は不図示）を取付け、カッタハウジング１２の後部側面に後輪１７，１７（一方の１７は不図示）を取付け、カッタハウジング１２の後部側面にハンドルステー１８，１８を（一方の１８は不図示）取付け、このハンドルステー１８，１８から後方にハンドル１９を延ばし、このハンドル１９にクラッチ機構４０を操作するクラッチレバー２５を設け、クラッチレバー２５の前方にクラッチレバーの接続機能を封じるロックレバー２６を設け、カッタハウジング１２の後部壁面３１に刈草収集装置（グラスバッグ）２４を着脱自在に取付け、カッタハウジング１２の後部壁面３１上部にディスチャージガード２３をスイング自在に取付けたものである。
【００１７】
なお、刈草収集装置（グラスバッグ）２４は刈草を通過させることなく、搬送風のみを通過させることのできる通気孔（不図示）を有して通気性の素材にて形成したものである。
【００１８】
図３は本発明に係る芝刈機の平面図であり、芝刈機１０は、エンジン１３（図1参照）を始動させた状態でロックレバー２６を機体１１の前方に倒し、クラッチレバー２５をハンドル１９側に倒し、２モーションでクラッチ機構４０を切離し状態から接続状態に移行させ、カッタブレード１４を回転させ、走行用クラッチレバー２２をハンドル１９側に倒し、後輪１７，１７を回転させ、機体１１を自走させつつカッタブレード１４で芝草面を刈るようにした自走式の芝刈機である。
【００１９】
カッタブレード１４は、白抜き矢印Ａ，Ａで示す回転方向に対して前側に位置する部位に刈刃部３８，３８を備え、これらの刈刃部３８，３８から回転方向に対して後側に位置する部位にかけて上方へ湾曲させたエアリフト部３９，３９を形成したもである。
【００２０】
すなわち、芝刈機１０は、カッタブレード１４を回転させることで、エアリフト部３９，３９の下面に生ずる負圧で地表の芝草を立上げ、刈刃部３８，３８で芝草を刈取り、刈取った刈草（刈芝）をエアリフト部３９，３９の上面でヒットし、カッタブレード１４の回転で起きる旋回流に載せ、この旋回流を搬送風として作用させ、この搬送風とともに刈草を白抜き矢印Ｂのように刈草搬送通路（刈芝搬送通路）３２から刈草収集装置（グラスバッグ）２４に送るものである。
【００２１】
図４は図１の４矢視図であり、芝刈機１０の底面を示す。すなわち、芝刈機１０は、エンジン１３（図１参照）でカッタブレード１４を回転させ、このカッタブレード１４をカッタハウジング１２で覆い、カッタハウジング１２に刈草を搬送する刈草搬送通路３２を設け、この刈草搬送通路３２に刈草を溜める刈草収集装置２４（図１参照）を連通させ、カッタブレード１４のエアリフト部３９，３９で発生させる搬送風で刈草を刈草搬送通路３２を経由させて刈草収集装置２４に搬送し、この刈草収集装置２４に刈草を収集するものである。
【００２２】
なお、２９は動力伝達部品（ベルト）、３３はカッタハウジング１２に設けることでカッタフレード１４を回転可能に収納するスクロール部、５２はドライブプーリ、３４は走行用クラッチ、３５は後輪用車軸であり、芝刈機１０は、出力軸２８のドライブプーリ５２から動力伝達部品（ベルト）２９を介してドリブンプーリ２９ａにエンジン１３（図１参照）の出力を伝達し、ドリブンプーリ２９ａからは走行用クラッチ３４を介して後輪用車軸３５にエンジン１３の出力を伝達し、後輪１７，１７（図１参照）を駆動するものである。
【００２３】
図５は本発明に係る芝刈機のマルチング作業状態を示すの側面図であり、マルチング作業（マルチングモード）とは、カッタハウジング内に２枚のカッタブレードを備え、これらのカッタブレードで芝草面を刈り、この芝草面に細かく裁断した刈芝を目立たさないように拡散する作業形態を言う。なお、マルチング作業は、後述するディスチャージ作業の一形態であるとも言える。
【００２４】
また、ディスチャージ作業（ディスチャージモード）とは、１枚のカッタブレードで芝草面を刈り、刈った刈草を刈草搬送通路を経由させディスチャージカバーから外部に刈草を放出する作業形態を言う。
さらに、バギング作業（バギングモード）とは、１枚のカッタブレードで芝草面を刈り、刈った刈草を刈草搬送通路を経由させ、刈草収集装置に収集する作業形態を言う。
【００２５】
すなわち、芝刈機１０は、マルチング作業、ディスチャージ作業及びバギング作業（図２参照）に対応した芝刈機であり、マルチング作業をする場合には、エンジン１３の出力軸にマルチング作業用の上部カッタブレード１５を取付けるとともに、ディスチャージ作業用及びバギング作業用のカッタブレード１４（ここでは、「上部カッタブレード１４」と記載する）を取付け、刈草搬送通路３２（図４参照）に蓋部材（不図示）を被せ、作業を遂行するものである。
【００２６】
図６は本発明に係る芝刈機のカッタハウジングの分解斜視図であり、天地を裏返した状態のカッタハウジング１２を示す。
カッタハウジング１２は、樹脂材にて成形した部材であって、カッタブレード１４を収納するハウジング本体１３１と、このハウジング本体１３１に取付けることで刈草搬送通路３２（図４参照）を形成する底部材１３２と、ハウジング本体１３１に取付けることでスクロール部３３を形成するスクロールガイド部材１３３と、からなる。
【００２７】
１３４，１３５はハウジング本体１３１に底部材１３２を取付ける取付ねじ、１３６，１３６はカッタハウジング１２にエンジン１３（図1参照）を取付けるとともにハウジング本体１３１にスクロールガイド部材１３３を共締めする取付ねじ、１３７，１３７はカッタハウジング１２にエンジン１３を取付ける取付ねじである。
【００２８】
ハウジング本体１３１は、主に刈草搬送通路３２（図４参照）及びスクロール部３３を形成するハウジング凹部１４１と、このハウジング凹部１４１の前方に形成する前部ガード部１４２と、ハウジング凹部１４１の後方に形成する後部壁面３１と、ハウジング凹部１４１の側方に形成する左右の側部ガード部１４５，１４６と、ハウジング凹部１４１の中央に形成することでエンジン１３（図１参照）の出力軸２８及びクラッチ機構４０を挿入する上部開口１４７と、この上部開口１４７の廻りに形成したエンジン１３を取付けるエンジンマウント部１４８と、このエンジンマウント部１４８の設けたエンジン１３を取付ける取付孔１４９・・・（・・・は複数個を示す。以下同じ）と、ハウジング凹部１４１に形成することで底部材１３２を取付ける内取付ボス１５１と、右の側部ガード部１４５に形成することで底部材１３２を取付ける外取付ボス１５２と、後部壁面３１の左に形成することで刈草収集装置２４（図１参照）の内圧を抑制するための内圧抑制孔１５３・・・と、後部壁面３１の右に形成した刈草搬送通路出口（出口側開口）１５４と、後部壁面３１の右に形成した底部材１３２を係止する係止孔１５５，１５５と、を主要構成とする部材である。
【００２９】
底部材１３２は、刈草搬送通路３２（図４参照）の底を形成する本体部１６１と、この本体部の前方に形成することでスクロール部３３の円弧状のフランジを形成するとともに刈草搬送通路入口１６２（図７参照）を構成する入口側補強部１６３と、この入口側補強部１６３の内端部に形成することで内取付ボス１５１の取付ける内取付部１６５と、入口側補強部１６３の外端部に形成することで内取付ボス１５２の取付ける外取付部１６６と、本体部の前方に形成することで後部壁面３１の係止孔１５５，１５５に嵌合させる突片１６７，１６７と、を形成したものである。
なお、入口側補強部１６３は、スクロール部３３の見切り（縦壁）としての機能お有する。
【００３０】
スクロールガイド部材１３３は、スクロール部３３を構成する略Ｕ字を連続させた円弧状のスクロール溝１７１と、このスクロール溝１７１の内周に形成することでハウジング本体１３１のエンジン１３とともに共締めする共締め部１７２，１７２と、スクロール溝１７１の外周に形成することでスクロール部３３の円弧状のフランジを形成するフランジ部１７３と、このフランジ部１７３の一端１７６に形成することで底部材１３２の内取付部１６５に嵌合（圧入）するボス部１７４と、スクロール溝１７１の一端１７６に形成することで刈草搬送通路３２の側面の一部を形成する搬送通路側面部１７５と、からなる。  図中、１７７はフランジ部１７３の他端を示す。
【００３１】
また、スクロールガイド部材１３３は、理想的な（所望の）スクロール部３３の形状を得るために、刈草搬送通路３２の入口（刈草搬送通路入口）１６２を最低位とするとともに、カッタハウジング１２の最大幅付近でハウジング本体１３１と連続させる形状に形成したものである。
【００３２】
図７は本発明に係る芝刈機のカッタハウジングの斜視図であり、天地を裏返した状態のカッタハウジング１２を示す。
図４に示す芝刈機１０は、カッタハウジング１２内でカッタブレード１４を回転させ、このカッタブレード１４で芝草を刈り、刈った刈草をカッタハウジング１２のスクロール部３３からカッタハウジング１２の刈草搬送通路３２を経由させて搬送する形式の芝刈機において、カッタハウジング１２を、カッタブレード１４を収納するハウジング本体１３１と、このハウジング本体１３１に取付けることで刈草搬送通路３２を形成する底部材１３２と、ハウジング本体１３１に取付けることでスクロール部３３を形成するスクロールガイド部材１３３と、に分割構成し、底部材１３２の刈草搬送通路出口１５４側をハウジング本体に係合させるとともに、底部材１３２の刈草搬送通路入口１６２側をハウジング本体１３１に取付け且つスクロールガイド部材１３３を係合させ、スクロールガイド部材１３３を、ハウジング本体１３１内でカッタブレード１４を回転させる図２に示すエンジン（動力源）１３と共締めしたものと言える。
【００３３】
図８は図７の８−８線断面図であり、底部材１３２の内取付部１６５は、取付ねじ１３４を貫通させる貫通孔１６８と、スクロールガイド部材１３３のボス部１７４を嵌合させる嵌合筒部１６９と、を備えたことを示し、底部材１３２の刈草搬送通路入口１６２側をハウジング本体１３１に取付け且つスクロールガイド部材１３３を係合させることで、底部材１３２及びスクロールガイド部材１３３の組付け性の向上を図ることができる。
【００３４】
図９は図７の９矢視図であり、カッタハウジング１２は、ハウジング本体１３１の内取付ボス１５１に底部材１３２の内取付部１６５を取付け、この内取付部１６５の嵌合筒部１６９（図８参照）にスクロールガイド部材１３３のボス部１７４を嵌合（圧入）することで、１本の内取付ボス１５１に底部材１３２及びスクロールガイド部材１３３の２部材を支持させることができるとともに、底部材１３２の入口側補強部１６３及びスクロールガイド部材１３３のフランジ部１７３をカッタブレード１４（図４参照）の回転を許容する連続させた円弧状に組立てることができるようにしたものである。
【００３５】
図１０は本発明に係る芝刈機のカッタハウジングのハウジング本体の底面図であり、カッタハウジング１２は、前部に前輪１６，１６を支持する前輪支持部１９８，１９８を形成するとともに後部に後輪１７，１７を支持する後輪支持部１９９，１９９を形成したものであり、これらの前輪支持部１９８，１９８及び後輪支持部１９９，１９９がカッタハウジング１２の剛性の向上に寄与する。一般的に、芝刈機１０（図２参照）の取回し性（刈取り性）を高めるために、機体１１幅を狭めるようにする。従って、スクロール部３３の側壁１９３，１９３部分にはカッタハウジング１２の剛性に寄与する部分が少なく、カッタハウジング１２の補強部分若しくは保護部分が少ない。従って、側部ガード部１４５，１４６を機体１１幅を広げることなく、カッタハウジング１２の剛性の向上を図ることが望まれる。
【００３６】
そこで、左の側部ガード部１４５は、ガスインジェクションを利用することで、中空パイプ状の補強部１９１を、機体１１（図１参照）の前後方向に形成し、カッタハウジング１２の側方からの耐衝撃性の向上を図るようにするとともに、カッタハウジング１２の長手方向の曲げ剛性も向上させるようにした。すなわち、カッタハウジング１２の長手方向の曲げ剛性も向上させることで、芝刈作業中に機体１１（図２参照）をターンさせる場合に、ハンドル１９を下方に下げて後輪１７を支点として前輪１６を上方に持上げるような操作を行った場合にも、カッタはウジング１２の撓みを最小に抑えることができる。
【００３７】
図中、１９７，１９７はガスインジェクションのためのガス注入孔を示す。また、右の側部ガード部１４６は、左の側部ガード部１４５に略対称形状の中空パイプ状の補強部１９２を備えたものであり、詳細な説明は省略する。
【００３８】
図１１は図１０の１１−１１線断面図であり、左の側部ガード部１４５は、スクロール部３３の側壁１９３下端近傍から外方に且つ前後に延ばした略水平ガード壁１９４と、この略水平ガード壁１９４から下方に且つ前後に延ばした垂直ガード壁１９５と、側壁１９３及び略水平ガード壁１９４を繋ぐ前後に延ばした接続リブ１９６と、からなる。
中空パイプ状の補強部１９１は、側壁１９３下端近傍に側壁１９３、略水平ガード壁１９４及び接続リブ１９５で形成し、且つ側壁１９３（図１０に示すカッタハウジング１２）の前後方向に沿わせて形成したものである。
【００３９】
図１２は図１０の１２−１２線断面図であり、中空パイプ状の補強部１９１を、垂直ガード壁１９５を含めて構成したことを示す。
中空パイプ状の補強部１９１を、垂直ガード壁１９５を含めて構成することで、側部ガード部１４５の張出しを小さくすることができる。この結果、カッタハウジング１２（図１０参照）をスリムに構成することができ、芝刈機１０（図１参照）の横幅を小さくすることができる。
【００４０】
図１３は本発明に係る芝刈機のカッタハウジングのハウジング本体の要部拡大図であり、図４に示す芝刈機１０は、カッタハウジング１２の上部にエンジン１３（図２参照）を取付け、カッタハウジング１２内にエンジン（動力源）１３の出力軸２８を略鉛直に突出させ、この出力軸２８の先端にカッタブレード１４を取付けることで、このカッタブレード１４をカッタハウジング１２のスクロール部３３で略水平に回転させる形式の芝刈機において、カッタハウジング１２が、樹脂材にて成形した部材であるとともにカッタハウジング１２に、スクロール部３３の左右外方に側部ガード部１４５，１４６（１４６は図１０参照）を備え、側部ガード部１４５に、スクロール部３３の側壁１９３下端近傍から外方に且つ前後に延ばした略水平ガード壁１９４と、この略水平ガード壁１９４から下方に且つ前後に延ばした垂直ガード壁１９５と、側壁１９３及び略水平ガード壁１９４を繋ぐ前後に延ばした接続リブ１９６と、を備え、側壁１９３、略水平ガード壁１９４及び接続リブ１９６で、側壁１９３下端近傍に中空パイプ状の補強部１９１を構成したものと言える。
【００４１】
例えば、カッタハウジングの側方からの耐衝撃性の向上を図るときに、カッタハウジングの長手方向の曲げ剛性にも寄与させることができるとすれば、芝刈機の全体的な剛性の向上を図ることができるので好ましいことである。
【００４２】
そこで、カッタハウジング１２が、樹脂材にて成形した部材であるとともにカッタハウジング１２に、スクロール部３３の左右外方に側部ガード部１４５，１４６（１４６は図１０参照）を備え、側部ガード部１４５に、スクロール部３３の側壁１９３下端近傍から外方に且つ前後に延ばした略水平ガード壁１９４と、この略水平ガード壁１９４から下方に且つ前後に延ばした垂直ガード壁１９５と、側壁１９３及び略水平ガード壁１９４を繋ぐ前後に延ばした接続リブ１９６と、を備え、側壁１９３、略水平ガード壁１９４及び接続リブ１９６で、側壁１９３下端近傍に中空パイプ状の補強部１９１を構成した。
【００４３】
従って、カッタハウジング１２の側方からの耐衝撃性の向上を図ることができるとともに、カッタハウジング１２の長手方向の曲げ剛性も向上させることがきる。この結果、芝刈機の全体的な剛性の向上を図ることができる。
【００４４】
尚、本発明に係る芝刈機は、図１０に示すように、カッタハウジング１２に、スクロール部３３の左右外方に中空パイプ状の補強部１９１，１９２を形成したが、これに限るものではなく、中空パイプ状の補強部をカッタハウジングの前部若しくは後部に形成したものであってもよい。また、中空パイプ状の補強部をカッタハウジングの全周に渡って連続的に形成したものであってもよい。
【産業上の利用可能性】
【００４５】
本発明に係る芝刈機は、動力源としてエンジンを搭載し、このエンジンに回転を後輪に伝達する自走式の芝刈機に採用するのに好適である。
【図面の簡単な説明】
【００４６】
【図１】本発明に係る芝刈機の斜視図である。
【図２】本発明に係る芝刈機の側面図である。
【図３】本発明に係る芝刈機の平面図である。
【図４】図１の４矢視図である。
【図５】本発明に係る芝刈機のマルチング作業状態を示すの側面図である。
【図６】本発明に係る芝刈機のカッタハウジングの分解斜視図である。
【図７】本発明に係る芝刈機のカッタハウジングの斜視図である。
【図８】図７の８−８線断面図である。
【図９】図７の９矢視図である。
【図１０】本発明に係る芝刈機のカッタハウジングのハウジング本体の底面図である。
【図１１】図１０の１１−１１線断面図である。
【図１２】図１０の１２−１２線断面図である。
【図１３】本発明に係る芝刈機のカッタハウジングのハウジング本体の要部拡大図である。
【図１４】従来の芝刈機の基本構成を説明する図である。
【図１５】従来のカッタハウジングの基本構成を説明する図である。
【符号の説明】
【００４７】
１０…芝刈機、１２…カッタハウジング、１３…動力源（エンジン）、２８…出力軸、３３…スクロール部、１４５，１４６…側部ガード部、１９１，１９２…補強部、１９３…側壁、１９４…略水平ガード壁、１９５…垂直ガード壁、１９６…接続リブ。
【図１】
2006067919.tif 000003
【図２】
2006067919.tif 000004
【図３】
2006067919.tif 000005
【図４】
2006067919.tif 000006
【図５】
2006067919.tif 000007
【図６】
2006067919.tif 000008
【図７】
2006067919.tif 000009
【図８】
2006067919.tif 000010
【図９】
2006067919.tif 000011
【図１０】
2006067919.tif 000012
【図１１】
2006067919.tif 000013
【図１２】
2006067919.tif 000014
【図１３】
2006067919.tif 000015
【図１４】
2006067919.tif 000016
【図１５】
2006067919.tif 000017